(57)【要約】【課題】筐体側に必要な空間的領域を増加させることなく、より精度よく交換ユニットを情報処理システムに接続する。【解決手段】挿抜操作部１０１は、弾性特性を有する板状部材であり、基端部１０１ａは、交換ユニット１０本体に固定され、先端部１０１ｂは外部から操作可能である。スライド部１０２は、挿抜操作部１０１上の所定範囲を挿抜方向にスライド可能に支持される。第１の突起部１０３は、スライド部１０２上に形成され、交換ユニット１０の取付状態においてスライド部１０２がロック位置にあるときに、筐体８０の第１のロック穴８０３に入り込む。付勢部１０４は、交換ユニット１０の抜出方向にスライド部１０２を付勢する。ロック操作部１０５は、スライド部１０２を、交換ユニット１０の挿入時に挿入方向に移動させ、交換ユニット１０の抜出時に、第１の突起部１０３が第１のロック穴８０３から外れる方向に移動させるよう外部から操作可能である。【選択図】      図１
2018164038.tif 000002
【特許請求の範囲】
【請求項１】
情報処理システムの筐体に取り付けられる交換ユニットの本体に固定された基端部、および、前記交換ユニットを前記筐体に挿抜する挿抜方向に移動させるよう外部から操作可能な先端部を有し、弾性特性を有する板状の挿抜操作部と
前記挿抜操作部によって、その所定範囲を前記挿抜方向にスライド可能に支持されたスライド部と、
前記スライド部上に形成され、前記交換ユニットが前記筐体に取り付けられた取付状態において前記スライド部がロック位置にあるときに、前記筐体側に設けられた第１のロック穴に入り込む第１の突起部と、
前記交換ユニットが前記筐体から抜き出される抜出方向に、前記スライド部を付勢する付勢部と、
前記交換ユニットの前記筐体への挿入時に、前記付勢部による付勢力に反する方向に前記スライド部をスライドさせるよう外部から操作可能であるとともに、前記交換ユニットの前記筐体からの抜出時に、前記第１の突起部が前記第１のロック穴から外れる方向に前記スライド部を移動させるよう外部から操作可能なロック操作部と、
を備えた挿抜装置。
【請求項２】
前記挿抜操作部上に形成され、前記取付状態において前記筐体側に設けられた第２のロック穴に入り込む第２の突起部を、さらに備えたことを特徴とする請求項１に記載の挿抜装置。
【請求項３】
請求項１または請求項２に記載の挿抜装置を有する交換ユニット。
【請求項４】
請求項１に記載の挿抜装置を有する交換ユニットと、
前記交換ユニットが取り付け可能であって前記第１のロック穴を有する筐体と、
を含む情報処理システム。
【請求項５】
前記交換ユニットに含まれる挿抜装置が、請求項２に記載の挿抜装置であるとき、
前記筐体は、前記第１のロック穴に加えて、前記第２のロック穴を有することを特徴とする請求項４に記載の情報処理システム。
【発明の詳細な説明】
【技術分野】
【０００１】
本発明は、情報処理システムに交換ユニットを挿抜する技術に関する。
【背景技術】
【０００２】
ディスクアレイ装置等の情報処理システムは、システムを構成する制御基板を含む交換可能な部品として交換ユニットを有する。交換ユニットは、情報処理システムの処理能力の高速化に伴い、装置との電気的な接続に、より高い精度を求められている。
【０００３】
このような交換ユニットを情報処理システムの筐体に挿抜する関連技術の一例が、特許文献１に記載されている。この関連技術の交換ユニットは、Ｕ字形のハンドルを有する。ハンドルの両端は、交換ユニットの両側面に回転自在に固定される。また、ハンドルにおける両端の間の部分は、交換ユニットを挿抜方向に移動させたり、ハンドルを回転させたりするための取っ手として機能する。また、ハンドルの両端は、ハンドルの回転に伴って回転する突起部を有している。そして、交換ユニットが筐体に取り付けられた状態において、ハンドルが所定の回転状態となることにより、両端の突起部は、筐体側面の切欠きに係止される。これにより、交換ユニットの筐体からの抜き出しが阻止される。また、ハンドルが他の所定の回転状態となることにより、突起部は、切欠きに係止されない。これにより、交換ユニットの筐体からの抜き出しが可能となる。
【０００４】
また、交換ユニットを挿抜する他の関連技術の一例が、特許文献２に記載されている。この関連技術では、交換ユニットには、板ばねが取り付けられる。板ばねは、交換ユニットに固定された基端部と、交換ユニットが筐体に取り付けられた状態において開口部周囲に形成された突出壁の内面に接する先端部とを有する。板ばねは、交換ユニットの挿入方向への移動に伴い、先端が開口部側に撓むことにより開口部を通過する。そして、交換ユニットの挿入が完了すると、板ばねの先端部は、前述の突出壁の内面に接する状態となる。これにより、交換ユニットの筐体からの抜き出しが阻止される。また、板ばねの先端部には、操作レバーとしてのハンドルが取り付けられる。ハンドルが操作されることにより、板ばねの先端部が突出壁の内面より開口部側に撓み、交換ユニットの抜き出しが可能となる。
【０００５】
また、交換ユニットを挿抜する一般的な関連技術の一例として、図３１に示すものが知られている。この関連技術では、交換ユニットは、板ばねとして機能するハンドルを有する。ハンドルの先端部は、取っ手として機能する。また、ハンドルの基端部は、交換ユニットに取り付けられたばねによって抜出方向に付勢されている。また、ハンドルは、突起部を有する。突起部は、交換ユニットが筐体に取り付けられた状態において、筐体側の孔（図示せず）に係止される。このため、交換ユニットは、筐体に取り付けられた状態では、突起部が筐体側の孔にかかった状態で抜出方向に押し付けられるため、筐体に固定される。また、ハンドルは、取っ手としての先端部が操作されることにより、突起部が筐体側の孔から外れる方向に撓むことが可能となっている。したがって、ハンドルが操作されることにより突起部が筐体側の孔から外れると、交換ユニットは、筐体から抜き出し可能となる。
【先行技術文献】
【特許文献】
【０００６】
【特許文献１】特開２００９−２５９８６２号公報
【特許文献２】実開昭６３−４４４９４号公報
【発明の概要】
【発明が解決しようとする課題】
【０００７】
しかしながら、特許文献１〜２に記載された関連技術および一般的な関連技術には、以下の課題がある。
【０００８】
特許文献１に記載された関連技術は、てこの原理を利用しており、支点としてのハンドルの両端の回転中心、力点としてのハンドル部分、作用点としての突起部によって機能する。そのため、この関連技術では、筐体側にも、てこの原理を構成するこれらの要素が動作する空間的領域を確保する必要がある。しかしながら、情報処理システムの小型化のためには、筐体側にそのような空間的領域を確保できないことも多い。そのため、この関連技術は、採用が難しい場合があった。
【０００９】
また、特許文献２に記載された関連技術は、筐体側にそのような空間的領域を確保できない場合の挿抜機構として有効であるものの、次の問題がある。この関連技術では、地震などにより振動が起こった場合、ハンドルも振動し、さらに慣性によって大きく振動する場合がある。この場合、ハンドルにとりつけられた板ばねの先端も振動して突出壁に接しない状態となり、交換ユニットが抜けてしまう可能性がある。
【００１０】
また、図３１に示した一般的な関連技術は、ハンドルがばねにより抜出方向に付勢される構成である。このため、交換ユニットを挿入する際に、交換ユニットのコネクタが情報処理システムの接続部に勘合する直前に、ばねがハンドルの移動量を吸収してしまう可能性がある。この場合、コネクタが最後まで勘合せずに、接触不良を起こす可能性がある。さらに、このような一般的な関連技術でも、地震などにより振動が起こった場合、ハンドルも振動し、さらに慣性によって大きく振動する場合がある。この場合、突起部が筐体側の孔から外れてしまい、交換ユニットが抜けてしまう可能性がある。
【００１１】
本発明は、上述の課題を解決するためになされたものである。すなわち、本発明は、筐体側に必要となる空間的領域を増加させることなく、より精度よく交換ユニットを情報処理システムに接続する技術を提供することを目的とする。
【課題を解決するための手段】
【００１２】
本発明の挿抜装置は、情報処理システムの筐体に取り付けられる交換ユニットの本体に固定された基端部、および、前記交換ユニットを前記筐体に挿抜する挿抜方向に移動させるよう外部から操作可能な先端部を有し、弾性特性を有する板状の挿抜操作部と、前記挿抜操作部によって、その所定範囲を前記挿抜方向にスライド可能に支持されたスライド部と、前記スライド部上に形成され、前記交換ユニットが前記筐体に取り付けられた取付状態において前記スライド部がロック位置にあるときに、前記筐体側に設けられた第１のロック穴に入り込む第１の突起部と、前記交換ユニットが前記筐体から抜き出される抜出方向に、前記スライド部を付勢する付勢部と、前記交換ユニットの前記筐体への挿入時に、前記付勢部による付勢力に反する方向に前記スライド部をスライドさせるよう外部から操作可能であるとともに、前記交換ユニットの前記筐体からの抜出時に、前記第１の突起部が前記第１のロック穴から外れる方向に前記スライド部を移動させるよう外部から操作可能なロック操作部と、を備える。
【００１３】
また、本発明の交換ユニットは、上述の挿抜装置を有する。
【００１４】
また、本発明の情報処理システムは、上述の挿抜装置を有する交換ユニットと、前記交換ユニットが取り付け可能であって前記第１のロック穴を有する筐体と、を含む。
【発明の効果】
【００１５】
本発明は、筐体側に必要となる空間的領域を増加させることなく、より精度よく交換ユニットを情報処理システムに接続する技術を提供することができる。
【図面の簡単な説明】
【００１６】
【図１】本発明の第１の実施の形態としての情報処理システムの構成を模式的に示す斜視図である。
【図２】本発明の第１の実施の形態としての情報処理システムにおいて、交換ユニットが取り付けられた取付状態を模式的に示す斜視図である。
【図３】本発明の第１の実施の形態における挿抜操作部を模式的に示す斜視図である。
【図４】本発明の第１の実施の形態におけるスライド部を模式的に示す斜視図である。
【図５】本発明の第１の実施の形態における付勢部を模式的に示す斜視図である。
【図６】本発明の第１の実施の形態におけるロック操作部を模式的に示す斜視図である。
【図７】（ａ）は、本発明の第１の実施の形態における挿抜装置を模式的に示す上面図である。（ｂ）は、本発明の第１の実施の形態における挿抜装置を模式的に示す側面図である。（ｃ）は、本発明の第１の実施の形態における挿抜装置を模式的に示す断面図である。
【図８】本発明の第１の実施の形態における第１のロック穴および第１の突起部の位置関係を模式的に説明する断面図である。
【図９】本発明の第１の実施の形態としての情報処理システム１において、交換ユニットの挿入時および抜出時の挿抜装置の動作を模式的に説明する図である。
【図１０】本発明の第２の実施の形態としての情報処理システムの構成を模式的に示す斜視図である。
【図１１】本発明の第２の実施の形態における挿抜操作部を模式的に示す斜視図である。
【図１２】本発明の第２の実施の形態におけるスライド部を模式的に示す斜視図である。
【図１３】本発明の第２の実施の形態としての情報処理システムの具体例の構成を示す斜視図である。
【図１４】本発明の第２の実施の形態の具体例における挿抜装置の構成を示す斜視図である。
【図１５】本発明の第２の実施の形態の具体例における挿抜装置の構成を示す分解図である。
【図１６】本発明の第２の実施の形態の具体例において、交換ユニットの挿入が開始される様子を示す斜視図である。
【図１７】本発明の第２の実施の形態の具体例において、交換ユニットの挿入時に、第２の突起部により交換ユニットが一旦停止する状態を説明する斜視図である。
【図１８】図１７の状態における情報処理システムを、第２の突起部を含む面で切断したと想定した場合の断面図である。
【図１９】本発明の第２の実施の形態の具体例において、挿入時に交換ユニットが一旦停止した状態でのロック操作部の操作を説明する斜視図である。
【図２０】図１９の状態でロック操作部が操作されたときの情報処理システムを、第２の突起部を含む面で切断したと想定した場合の断面図である。
【図２１】図２０の状態でさらにロック操作部が操作されたときの情報処理システムを、第２の突起部を含む面で切断したと想定した場合の断面図である。
【図２２】本発明の第２の実施の形態の具体例において、交換ユニットが取付位置まで挿入された状態を示す斜視図である。
【図２３】本発明の第２の実施の形態の具体例において、交換ユニットが取付位置まで挿入された状態でのロック操作部の操作を説明する斜視図である。
【図２４】図２３の状態でロック操作部が操作されたときの情報処理システムを、第１の突起部を含む面で切断したと想定した場合の断面図である。
【図２５】本発明の第２の実施の形態の具体例において、第１の突起部により交換ユニットが筐体に固定された状態の情報処理システムを、第１の突起部を含む面で切断したと想定した場合の断面図である。
【図２６】本発明の第２の実施の形態の具体例において、さらに第２の突起部により交換ユニットが筐体に固定された状態の情報処理システムを、第２の突起部を含む面で切断したと想定した場合の断面図である。
【図２７】本発明の第２の実施の形態の具体例において、交換ユニットの挿入が完了した状態を示す斜視図である。
【図２８】本発明の第２の実施の形態の具体例において、交換ユニットの抜出時におけるロック操作部の操作を説明する斜視図である。
【図２９】本発明の第３の実施の形態としての挿抜装置の構成を模式的に示す斜視図である。
【図３０】本発明の第４の実施の形態としての交換ユニットの構成を模式的に示す斜視図である。
【図３１】一般的なの情報処理システムにおける交換ユニットの挿抜機構を説明する図である。
【発明を実施するための形態】
【００１７】
以下、本発明の実施の形態について、図面を参照して詳細に説明する。
【００１８】
（第１の実施の形態）
図１は、本発明の第１の実施の形態としての情報処理システム１の構成を模式的に示す斜視図である。図１において、情報処理システム１は、交換ユニット１０と、筐体８０とを含む。交換ユニット１０は、情報処理システム１を構成する制御基板を含む交換可能な部品である。筐体８０は、交換ユニット１０を取り付け可能な構成を有する。なお、図１は、交換ユニット１０が、筐体８０に取り付けられていない状態を示している。また、取付位置８０ｂは、筐体８０内での交換ユニット１０が取り付け可能な位置を示している。なお、取付位置８０ｂは、取り付けが可能な位置を模式的に示した仮想的な線であり、必ずしもその位置に物理的な枠が存在することを示すものではない。
【００１９】
具体的には、交換ユニット１０は、筐体８０の開口部８０ａから挿入され、取付位置８０ｂまで挿入方向ｄ１に移動し、交換ユニット１０のコネクタ（図示せず）が情報処理システム１本体の接続部（図示せず）に接続することにより、筐体８０に取り付けられる。
【００２０】
また、交換ユニット１０は、挿抜装置１００を備える。挿抜装置１００は、交換ユニット１０を筐体８０に挿入するとともに筐体８０から抜き出すための装置である。なお、図１では、説明のため、交換ユニット１０のフレーム１０ａが透過されているものとして、挿抜装置１００の構成を示している。また、図１では、挿抜装置１００は、交換ユニット１０のフレーム１０ａ上面の内側に取り付けられている。ただし、挿抜装置１００が交換ユニット１０に取り付けられる位置は、これに限定されない。
【００２１】
また、図２は、情報処理システム１において、交換ユニット１０が、筐体８０に取り付けられた取付状態を模式的に示す斜視図である。以降、「交換ユニット１０が、筐体８０に取り付けられた取付状態」を、単に、「交換ユニット１０の取付状態」とも記載する。図２において、交換ユニット１０は、筐体８０の取付位置８０ｂから抜出方向ｄ２に引き出され、開口部８０ａから排出されることで、筐体８０から取り外される。
【００２２】
図１に示したように、挿抜装置１００は、挿抜操作部１０１と、スライド部１０２と、第１の突起部１０３と、付勢部１０４と、ロック操作部１０５とを有する。なお、図１には、１つの第１の突起部１０３を示しているが、挿抜装置１００が有する第１の突起部１０３の数は限定されない。
【００２３】
挿抜操作部１０１は、弾性特性を有する板状の部材により構成される。また、挿抜操作部１０１の基端部１０１ａは、交換ユニット１０の本体（フレーム１０ａ）に固定される。また、挿抜操作部１０１の先端部１０１ｂは、交換ユニット１０を挿抜方向に移動させるよう外部から操作可能である。なお、挿抜方向とは、交換ユニット１０を筐体８０に挿入する挿入方向ｄ１および筐体８０から抜き出す抜出方向ｄ２を指すものとする。また、交換ユニット１０の取付状態において、先端部１０１ｂが操作可能に露出するよう、基端部１０１ａは、交換ユニット１０の本体の適切な位置に固定されるものとする。
【００２４】
また、挿抜操作部１０１は、後述のスライド部１０２を、所定範囲で挿抜方向にスライド可能に支持する。例えば、図３に示すように、挿抜操作部１０１は、弾性特性を有する板状の部材が段差を形成するように折り曲げられることにより構成されてもよい。この例では、挿抜操作部１０１は、基端部１０１ａおよび先端部１０１ｂが略同一平面上に含まれ、かつ、段差１０１ｄおよび段差１０１ｅが形成されるよう折り曲げられている。この場合、挿抜操作部１０１は、後述のスライド部１０２を、段差１０１ｄおよび段差１０１ｅ間の面１０１ｃ上の範囲でスライドさせるように支持可能となる。
【００２５】
スライド部１０２は、挿抜操作部１０１上によって、その所定範囲を挿抜方向にスライド可能に支持される。
【００２６】
例えば、図４に示すように、スライド部１０２は、面１０２ａ〜１０２ｄによって構成されていてもよい。面１０２ａは、挿抜操作部１０１に接する面であり、挿抜操作部１０１と略同一の幅を有する。面１０２ｂおよび１０２ｃは、面１０２ａの両端から略同一方向に伸び、面１０２ａに対して略垂直な面である。面１０２ｄは、面１０２ｂから面１０２ａの側に伸び、かつ、面１０２ａおよび面１０２ｂのそれぞれに対して略垂直な面である。ただし、面１０２ｄは、面１０２ａとの間に、隙間１０２ｅを形成する。例えば、このようなスライド部１０２は、Ｌ字型の板状の部材が折り曲げられることにより構成可能である。
【００２７】
このように構成した場合、スライド部１０２は、隙間１０２ｅに、図３に示した挿抜操作部１０１の面１０１ｃの部分を通して面１０２ａが面１０１ｃに接するように組み合わせることにより、面１０１ｃの範囲で挿抜方向にスライド可能となる。
【００２８】
第１の突起部１０３は、スライド部１０２上に形成された突起物によって構成される。第１の突起部１０３は、交換ユニット１０の取付状態において、スライド部１０２がロック位置にあるときに、筐体８０側に設けられた第１のロック穴８０３に入り込む位置に形成される。換言すると、交換ユニット１０の取付状態において、第１の突起部１０３が第１のロック穴８０３に入り込む際のスライド部１０２の位置を、ロック位置と呼ぶものとする。第１のロック穴８０３については後述する。なお、ロック位置は、スライド部１０２が挿入方向ｄ１にそれ以上スライドできない位置であることが望ましい。
【００２９】
また、図１および図４に示したように、第１の突起部１０３は、略直角三角形状に形成されていてもよい。そして、この場合、第１の突起部１０３は、その短辺の一方が挿抜方向に沿い、短辺の他方が抜出方向ｄ２側に向き、長辺が挿入方向ｄ１側に向くように、スライド部１０２の面１０２ａ上に略垂直に配置されることが望ましい。これにより、第１の突起部１０３は、交換ユニット１０の挿入時にはその長辺が筐体８０の開口部８０ａの周囲に接することになる。その際、第１の突起部１０３は、長辺に沿ってスムーズに開口部８０ａを通過することができる。一方で、第１の突起部１０３は、第１のロック穴８０３に入り込んでいる状態では、面１０２ａに対して略垂直な抜出方向ｄ２側の短辺が、後述の付勢部１０４により第１のロック穴８０３の内壁に押し付けられる。その結果、第１の突起部１０３は、交換ユニット１０の抜出方向ｄ２への移動を阻止して交換ユニット１０の位置を固定することができる。
【００３０】
付勢部１０４は、交換ユニット１０が筐体８０から抜き出される抜出方向ｄ２にスライド部１０２を付勢する。
【００３１】
例えば、図５に示すように、付勢部１０４は、受部１０４ａと、弾性部材１０４ｂとから構成されていてもよい。また、受部１０４ａは、交換ユニット１０に固定される面１０４ｃと、弾性部材１０４ｂを支持する面１０４ｄとからなっていてもよい。この場合、弾性部材１０４ｂは、一方の端部が面１０４ｄに支持され、他方の端部がスライド部１０２の面１０２ｄに接するよう配置される。
【００３２】
ロック操作部１０５は、交換ユニット１０の筐体８０への挿入時に、スライド部１０２を、付勢部１０４による付勢力に反する方向（すなわち、挿入方向ｄ１）に移動させるよう外部から操作可能である。また、ロック操作部１０５は、交換ユニット１０の筐体８０からの抜出時に、第１の突起部１０３が第１のロック穴８０３から外れる方向にスライド部１０２を移動させるよう外部から操作可能である。以降、第１の突起部１０３が第１のロック穴８０３から外れる方向を、ロック解除方向ｄ３とも記載する。
【００３３】
例えば、図６に示すように、ロック操作部１０５は、Ｌ字型に形成された板状の部材によって構成されてもよい。この場合、ロック操作部１０５は、面１０５ａおよび面１０５ｂによりＬ字型を構成する。そして、一方の面１０５ａは、スライド部１０２の面１０２ｂに固定されていてもよい。また、その場合、他方の面１０５ｂは、押圧や押し下げが可能な操作ボタンとして機能する。また、その場合、交換ユニット１０の取付状態において、面１０５ｂが操作可能に露出するよう、面１０５ａは、スライド部１０２の適切な位置に固定されるものとする。
【００３４】
図１および図３〜図６を用いて説明した各部によって構成される挿抜装置１００について、上面図、側面図および断面図を、図７（ａ）〜（ｃ）に示す。なお、図７（ｃ）は、挿抜装置１００を、第１の突起部１０３を含む面で切断したことを想定した場合の断面図である。以降、「第１の突起部１０３を含む面で切断したことを想定した場合の断面図」を、単に、「第１断面図」とも記載する。
【００３５】
図７（ａ）〜（ｃ）に示すように、挿抜操作部１０１は、第１の突起部１０３が形成されたスライド部１０２を、面１０１ｃでスライド可能に支持している。また、付勢部１０４は、面１０４ｄを起点として、スライド部１０２を抜出方向ｄ２に付勢している。また、ロック操作部１０５は、面１０５ｂが押圧または押し下げられることにより、スライド部１０２を、挿入方向ｄ１またはロック解除方向ｄ３に移動させることが可能となっている。
【００３６】
次に、交換ユニット１０について説明する。
【００３７】
図１に示したように、交換ユニット１０は、挿抜装置１００を取り付け可能なフレーム１０ａを有する。ここでは、挿抜装置１００は、フレーム１０ａの内側に取り付けられている。この場合、フレーム１０ａには、第１の突起部１０３を交換ユニット１０の外部に突出させるための孔１０ｂが形成される。孔１０ｂは、第１の突起部１０３がスライド部１０２のスライドに伴い移動可能な範囲に形成されることが望ましい。
【００３８】
次に、筐体８０について説明する。
【００３９】
図１に示したように、筐体８０は、第１のロック穴８０３を有する。なお、図１において、第１のロック穴８０３は、筐体８０の内側に凹部として形成されている。図１は、筐体８０を外側から見た図であるため、第１のロック穴８０３が内側に形成されている位置を点線の矩形で示している。
【００４０】
次に、第１のロック穴８０３が形成される位置について、図面を参照して説明する。
【００４１】
図８は、交換ユニット１０の取付状態における筐体８０、交換ユニット１０のフレーム１０ａ、および、挿抜装置１００の一部に関する第１断面図である。図８に示すように、第１のロック穴８０３は、交換ユニット１０の取付状態においてスライド部１０２がロック位置にあるときに、第１の突起部１０３が入り込む位置に形成される。なお、前述のように、ロック位置は、スライド部１０２が挿入方向ｄ１にそれ以上スライドできない位置であることが望ましい。
【００４２】
以上のように構成された情報処理システム１について、交換ユニット１０が筐体８０への挿抜される際の挿抜装置１００の動作を、図９を参照して説明する。
【００４３】
まず、交換ユニット１０の挿入時における挿抜装置１００の動作について説明する。
【００４４】
挿入時には、まず、挿抜操作部１０１は、外部より操作されることにより、交換ユニット１０を、筐体８０の開口部８０ａから挿入し、挿入方向ｄ１に移動させる。なお、外部より操作されるとは、具体的には、利用者により把持されて挿入方向ｄ１に力が加えられることである。
【００４５】
これにより、交換ユニット１０は、取付位置８０ｂまで移動する。
【００４６】
ただし、交換ユニット１０が取付位置８０ｂにあっても、スライド部１０２は、付勢部１０４によって抜出方向ｄ２に付勢されているため、前述のロック位置より抜出方向ｄ２側に位置している。図９（ａ）は、交換ユニット１０が取付位置８０ｂにあるが、スライド部１０２がロック位置より抜出方向ｄ２側に位置している状態の第１断面図を示している。
【００４７】
図９（ａ）の状態において、第１の突起部１０３は、第１のロック穴８０３より抜出方向ｄ２側に位置しているため、第１のロック穴８０３に入り込むことができない。また、挿抜操作部１０１およびスライド部１０２は、第１の突起部１０３が筐体８０の内側に接していることにより、筐体８０から離れる方向に撓んだ状態となる。
【００４８】
ここで、ロック操作部１０５が、外部から操作されることにより、スライド部１０２が、付勢部１０４の付勢力に反する挿入方向ｄ１に移動する。ここでは、外部から操作されるとは、挿入方向ｄ１に押圧されることである。
【００４９】
すると、スライド部１０２の挿入方向ｄ１への移動に伴い、第１の突起部１０３は、挿入方向ｄ１に移動する。そして、スライド部１０２がロック位置に到達すると、第１の突起部１０３は第１のロック穴８０３に入り込む。図９（ｂ）は、交換ユニット１０が取付位置８０ｂにあり、かつ、スライド部１０２がロック位置にある状態を示している。
【００５０】
この状態において、挿抜操作部１０１およびスライド部１０２は、第１の突起部１０３が第１のロック穴８０３に入り込んでいることにより、撓んでいない元の形状に戻ることができる。また、第１の突起部１０３は、付勢部１０４によって抜出方向ｄ２へ付勢されているため、第１のロック穴８０３の内面に押し付けられている。このため、第１の突起部１０３の位置が固定される。
【００５１】
したがって、図９（ｂ）の状態において、第１の突起部１０３の位置が固定されることにより、交換ユニット１０の位置は固定され、意図しない抜き出しが防止される。
【００５２】
以上で、交換ユニット１０の筐体８０への挿入が完了する。
【００５３】
次に、交換ユニット１０の抜出時における挿抜装置１００の動作について説明する。
【００５４】
ここでは、まず、図９（ｂ）の状態において、ロック操作部１０５は、外部から操作されることにより、ロック解除方向ｄ３にスライド部１０２を移動させる。なお、外部より操作されるとは、具体的には、ロック解除方向ｄ３に押し下げられることである。
【００５５】
これにより、第１の突起部１０３が第１のロック穴８０３から外れる。その結果、スライド部１０２は、付勢部１０４の付勢力により、ロック位置より抜出方向ｄ２側に移動し、図９（ａ）の状態となる。
【００５６】
この状態において、挿抜操作部１０１は、外部より操作されることにより、交換ユニット１０を抜出方向ｄ２に移動させ、取付位置８０ｂからの取り外しを可能とする。ここで、外部から操作されるとは、具体的には、把持されて抜出方向ｄ２に力が加えられることである。
【００５７】
以上で、情報処理システム１における挿抜装置１００の動作の説明を終了する。
【００５８】
次に、本発明の第１の実施の形態の効果について述べる。本発明の第１の実施の形態は、筐体側に必要となる空間的領域を増加させることなく、より精度よく交換ユニットを情報処理システムに接続することができる。
【００５９】
その理由について説明する。本実施の形態では、挿抜装置が、以下のような挿抜操作部と、スライド部と、第１の突起部と、付勢部と、ロック操作部とを有するからである。すなわち、挿抜操作部は、弾性特性を有する板状の部材によって構成される。また、挿抜操作部は、その基端部が、交換ユニットの本体に固定される。また、その先端部が、交換ユニットを情報処理システムの筐体に挿抜する挿抜方向に移動させるよう外部から操作可能となっている。また、スライド部は、挿抜操作部によって、その所定範囲を挿抜方向にスライド可能に支持される。また、第１の突起部は、スライド部上に形成され、交換ユニットの取付状態においてスライド部がロック位置にあるときに、筐体側に設けられた第１のロック穴に入り込む。また、付勢部は、交換ユニットが筐体から抜き出される抜出方向にスライド部を付勢する。また、ロック操作部は、交換ユニットの筐体への挿入時に、スライド部を、付勢部による付勢力に反する方向にスライドさせるよう外部から操作可能である。また、ロック操作部は、交換ユニットの筐体からの抜出時に、第１の突起部が第１のロック穴から外れる方向にスライド部を移動させるよう外部から操作可能である。
【００６０】
このように、本実施の形態は、挿抜機能を担う挿抜操作部と、ロック機能を担う第１の突起部とをそれぞれ実現する部品を一体化せずに異なる部品として構成している。これにより、本実施の形態は、挿抜操作部の移動量が付勢部の付勢力に吸収されてしまうことがなく、確実に交換ユニットを挿入することができる。
【００６１】
さらに、本実施の形態は、交換ユニットの取付状態では、付勢部が第１の突起部を介して交換ユニットを筐体に押し付けるため、意図しない抜け出しを防止することができる。その結果、本実施の形態は、交換ユニットのコネクタの接触不良を低減することができる。
【００６２】
加えて、本実施の形態は、挿抜機能を担う挿抜操作部と、ロック機能を担う第１の突起部とをそれぞれ実現する部品を一体化しないことで、挿抜操作部の振動により第１の突起部が振動することがない。その結果、本実施の形態は、地震等の振動により、第１の突起部が第１のロック穴から外れることがなく、交換ユニットを固定するロックが解除されてしまうことを防止することができる。
【００６３】
さらに、本実施の形態は、交換ユニットを筐体に押し付けて固定する第１の突起部を、挿抜操作部とは異なる部品であるスライド部上に形成し、挿抜操作部に対してスライドする構造としている。このため、本実施の形態では、交換ユニットの挿入時に、第１の突起部が第１のロック穴に入り込んでいない場合、挿抜操作部が撓んだ状態となる。このように、本実施の形態は、挿入作業が完了していないことを、挿抜操作部の撓み変形により物理的かつ視覚的に利用者に示すことができ、確実な挿入操作を利用者に促すことができる。
【００６４】
しかも、本実施の形態は、このような効果を有するため、筐体側には第１のロック穴を形成すればよい。したがって、本実施の形態は、筐体側で必要となる空間的領域を増加させない。
【００６５】
（第２の実施の形態）
次に、本発明の第２の実施の形態について図面を参照して詳細に説明する。なお、本実施の形態の説明において参照する各図面において、本発明の第１の実施の形態と同一の構成には同一の符号を付して本実施の形態における詳細な説明を省略する。
【００６６】
図１０は、本発明の第２の実施の形態としての情報処理システム２の構成を模式的に示す斜視図である。図１０において、情報処理システム２は、交換ユニット２０と、筐体９０とを含む。交換ユニット２０は、情報処理システム２を構成する制御基板を含む交換可能な部品である。筐体９０は、交換ユニット２０を取り付け可能な構成を有する。なお、図１０は、交換ユニット２０が、筐体９０に取り付けられていない状態を示している。
【００６７】
また、交換ユニット２０は、挿抜装置２００を備える。挿抜装置２００は、交換ユニット２０を筐体９０に挿入するとともに筐体９０から抜き出すための装置である。
【００６８】
なお、情報処理システム２における交換ユニット２０の取付状態は、図２を参照して説明した情報処理システム１の取付状態の斜視図と略同様であるため、本実施の形態における図示および説明を省略する。
【００６９】
次に、挿抜装置２００の構成のうち、本発明の第１の実施の形態と異なる点について詳細に説明する。
【００７０】
図１０に示したように、挿抜装置２００は、本発明の第１の実施の形態における挿抜装置１００に対して、挿抜操作部１０１に替えて挿抜操作部２０１と、スライド部１０２に替えてスライド部２０２とを備え、さらに、第２の突起部２０６を有する点が異なる。なお、図１０には、第１の突起部１０３および第２の突起部２０６を１つずつ示したが、本実施の形態における第１の突起部１０３の数および第２の突起部２０６の数は、限定されない。また、図１０には、第１の突起部１０３および第２の突起部２０６を挿抜方向に対して並列に配置した例を示したが、本実施の形態における第１の突起部１０３および第２の突起部２０６の配置は、これに限られない。
【００７１】
挿抜操作部２０１は、本発明の第１の実施の形態における挿抜操作部１０１と同様に構成されることに加えて、第２の突起部２０６を有している。
【００７２】
第２の突起部２０６は、挿抜操作部２０１上に形成され、交換ユニット２０の取付状態において筐体９０側に設けられた第２のロック穴９０６に入り込む。第２のロック穴９０６については後述する。
【００７３】
例えば、図１１に示すように、挿抜操作部２０１は、スライド部２０２がスライド可能な範囲の面１０１ｃ上に、第２の突起部２０６を有する。また、第２の突起部２０６は、略長方形状に形成されていてもよい。この場合、第２の突起部２０６は、挿抜操作部２０１の面１０１ｃ上に、長方形の１辺が挿抜方向に沿うように略垂直に配置されることが望ましい。これにより、第２の突起部２０６は、交換ユニット２０の挿入時には、その挿入方向ｄ１側の１辺が、筐体８０の開口部８０ａの周囲に接することになる。その結果、第２の突起部２０６は、挿入中の交換ユニット２０を一旦停止させ、急速な挿入による筐体９０への過度な衝撃を防止する機能を実現する。一方で、第２の突起部２０６は、第２のロック穴９０６に入り込んでいる状態では、抜出方向ｄ２側の１辺が、付勢部１０４により第２のロック穴９０６の内壁に押し付けられる。その結果、第２の突起部２０６は、第１の突起部１０３と共に、交換ユニット２０の抜出方向ｄ２への移動を阻止して交換ユニット２０の位置を固定することができる。
【００７４】
スライド部２０２は、本発明の第２の実施の形態におけるスライド部１０２と同様に構成されることに加えて、図１２に示すように、第２の突起部２０６を筐体９０側に突出させるための孔２０２ｆを有する。孔２０２ｆは、スライド部２０２のスライドに伴い、第２の突起部２０６がスライド部２０２に対して相対的に移動可能な範囲に形成される。
【００７５】
次に、交換ユニット２０について説明する。
【００７６】
図１０に示したように、交換ユニット２０は、挿抜装置２００を取り付け可能なフレーム２０ａを有する。フレーム２０ａには、本発明の第１の実施の形態と同様の孔１０ｂに加えて、孔２０ｃが形成される。孔２０ｃは、第２の突起部２０６を筐体９０側に突出させる位置に形成される。
【００７７】
次に、筐体９０について説明する。
【００７８】
図１０に示したように、筐体９０は、本発明の第１の実施の形態における筐体８０と同様に構成されることに加えて、第２のロック穴９０６を有する。第２のロック穴９０６は、交換ユニット２０が取付位置８０ｂにあるときに、第２の突起部２０６が入り込む位置に形成される。なお、図１０において、第２の突起部２０６は、第１のロック穴８０３と同様に、筐体８０の内側に凹部として形成されている。
【００７９】
なお、第２のロック穴９０６は、第１のロック穴８０３と異なる穴として形成されていてもよいが、第１のロック穴８０３を兼ねる穴として形成されてもよい。その場合、第２のロック穴９０６は、交換ユニット２０の取付状態において、スライド部２０２がロック位置にあるときに第１の突起部１０３が入り込む位置、および、第２の突起部２０６が入り込む位置を包含する位置および大きさに形成される。
【００８０】
次に、情報処理システム２の構成について、具体例を用いて説明する。
【００８１】
図１３は、情報処理システム２の構成の具体例を示す図である。なお、この具体例では、挿抜操作部２０１をハンドル２０１とも記載する。また、第１の突起部１０３を、ラッチ１０３とも記載する。また、第２の突起部２０６を、ストッパ２０６とも記載する。また、弾性部材１０４ｂを、ばね１０４ｂとも記載する。
【００８２】
図１３の例では、挿抜装置２００は、２つのラッチ１０３と、１つのストッパ２０６とを有する。また、筐体９０には、第１のロック穴８０３を兼ねるよう形成された第２のロック穴９０６が形成されている。以降、この具体例において、第１のロック穴８０３を兼ねる第２のロック穴９０６を、「ロック穴９０６（８０３）」とも記載する。
【００８３】
ロック穴９０６（８０３）は、交換ユニット２０の取付状態において、ハンドル２０１上のストッパ２０６と、ロック位置にあるスライド部２０２上の２つのラッチ１０３とが入り込み可能な位置およびサイズに形成される。
【００８４】
次に、この具体例の挿抜装置２００の詳細な構成を、図１４〜図１５を用いて説明する。
【００８５】
図１４は、挿抜装置２００の具体例を交換ユニット２０のフレーム２０ａに取り付けた状態の斜視図である。また、図１５は、挿抜装置２００の具体例を分解した分解図である。
【００８６】
図１４〜図１５に示すように、ハンドル２０１の基端部１０１ａは、付勢部１０４の受部１０４ａの面１０４ｃと共に、交換ユニット２０のフレーム２０ａにリベット５１で接合される。また、ハンドル２０１の先端部１０１ｂは、把持部分としての操作カバーを有し、挿抜方向への移動操作を容易にしている。
【００８７】
また、ハンドル２０１上には、ストッパ２０６が配設されている。ストッパ２０６は、スライド部２０２の孔２０２ｆおよびフレーム２０ａの孔２０ｃを通って筐体９０側に突出する。
【００８８】
また、スライド部２０２は、２つのラッチ１０３を有する。これらのラッチ１０３は、フレーム２０ａの孔１０ｂを通って筐体９０側に突出する。
【００８９】
また、１つ目のラッチ１０３、ストッパ２０６、および、２つ目のラッチ１０３は、この順に挿抜方向に対して略並列に並ぶよう、それぞれ、スライド部２０２およびハンドル２０１上に配置されている。これに応じて、フレーム２０ａには、１つ目の孔１０ｂ、孔２０ｃ、および、２つ目の孔１０ｂが、この順にそれぞれ対応する突起部を突出させる位置に形成されている。
【００９０】
また、スライド部２０２は、ハンドル２０１上を、段差１０１ｄおよび１０１ｅ間の面１０１ｃ上の範囲で、挿抜方向にスライドする。
【００９１】
また、付勢部１０４を構成する受部１０４ａの面１０４ｄには、ばね１０４ｂを支持するための突起が形成されている。また、ばね１０４ｂの一方の端部は、面１０４ｄ上の突起に支持され、他方の端部は、スライド部２０２の面１０２ｄに接する。これにより、ばね１０４ｂは、面１０４ｄを起点としてスライド部２０２を抜出方向ｄ２に付勢する。
【００９２】
また、ロック操作部１０５の面１０５ａは、スライド部２０２の面１０２ｂにねじ５２で固定される。また、ロック操作部１０５の面１０５ｂは、ロックボタンとして外部から押圧および押し下げが可能となっている。これにより、ロック操作部１０５は、スライド部２０２を移動させるよう操作可能である。
【００９３】
以上のように構成された情報処理システム２の動作について説明する。
【００９４】
まず、交換ユニット２０の筐体９０への挿入時の情報処理システム２の動作について説明する。
【００９５】
まず、図１６に示すように、挿抜操作部２０１は、外部より操作されることにより、交換ユニット２０を開口部８０ａから挿入し、挿入方向ｄ１に移動させる。なお、本発明の第１の実施の形態と同様に、外部より操作されるとは、具体的には、利用者により把持されて挿入方向ｄ１に力が加えられることである。
【００９６】
次に、交換ユニット２０が挿入方向ｄ１に移動中に、ストッパ２０６は、図１７に示すように、開口部８０ａの周囲にぶつかる。この状態を、図１８を用いて説明する。図１８は、図１７の状態にある情報処理システム２を、ストッパ２０６を含む面で切断したことを想定した場合の断面図である。以降、「ストッパ２０６を含む面で切断したことを想定した場合の断面図」を、「第２断面図」とも記載する。図１８に示すように、ストッパ２０６は、開口部８０ａより外側に飛び出している。また、ストッパ２０６は、略長方形状であるため、開口部８０ａの周囲にぶつかると、その位置からは挿入方向ｄ１に移動することができない。このようにして、交換ユニット２０は、移動を一旦停止する。これにより、交換ユニット２０の挿入時に、筐体８０に過度な衝撃が加わることが防止される。
【００９７】
次に、図１９に示すように、ハンドル２０１は、下方向に押し下げられながら挿入方向ｄ１への力が加えられることにより、交換ユニット２０を挿入方向ｄ１に移動させる。この状態を、図２０を用いて説明する。図２０は、図１９においてハンドル２０１が押し下げられた状態の情報処理システム２の第２断面図である。図２０に示すように、ハンドル２０１が押し下げられると、ハンドル２０１上に形成されたストッパ２０６は、交換ユニット２０の開口部８０ａの内側に移動する。その結果、ストッパ２０６は、筐体８０に進入することが可能となる。
【００９８】
さらに、ハンドル２０１に、押し下げと同時に挿入方向ｄ１への力が加えられることにより、ストッパ２０６が開口部８０ａを通過する。そして、交換ユニット２０は、挿入方向ｄ１に移動する。そして、交換ユニット２０が取付位置８０ｂまで移動すると、交換ユニット２０が有するコネクタ（図示せず）が、情報処理システム１の本体（図示せず）に電気的に接続される。
【００９９】
この状態を、図２１に示す。図２１は、図２０の状態から交換ユニット２０が取付位置８０ｂまで移動したときの情報処理システム２の第２断面図である。図２１に示すように、ハンドル２０１上に設けられたストッパ２０６は、筐体９０に設けられたロック穴９０６（８０３）に入り込みが可能な位置にある。そして、ハンドル２０１は弾性特性を持っているため、元の位置に戻ろうとする。ところが、この状態において、ハンドル２０１上にはスライド部２０２が配置されており、スライド部２０２上にはラッチ１０３が設けられている。そして、スライド部２０２は、付勢部１０４の付勢力によりロック位置より抜出方向ｄ２側にある。そのため、スライド部２０２上のラッチ１０３も、ロック穴９０６（８０３）に入り込みが可能な位置より抜出方向ｄ２側にある。そのため、ラッチ１０３は、筐体９０の内壁に接したままであり、ハンドル２０１は、筐体９０の内壁から離れるよう撓んだ状態となっている。
【０１００】
図２２は、この状態の情報処理システム２の斜視図である。図２２に示すように、ハンドル２０１が撓んで変形した状態であるため、利用者は、挿入作業が完了していないことを容易に視認できる。
【０１０１】
その後、図２３に示すように、ロック操作部１０５が、挿入方向ｄ１に押圧される。この状態を図２４に示す。図２４は、このときの情報処理システム２を、ラッチ１０３を含む面で切断した第１断面図である。なお、図２４では、付勢部１０４の図示を省略している。図２４に示すように、ロック操作部１０５が押圧されることにより、スライド部２０２が挿入方向ｄ１にスライドしてロック位置まで到達する。これに伴い、スライド部２０２上のラッチ１０３は、ロック穴９０６（８０３）に入り込みが可能な位置まで移動する。
【０１０２】
そして、この状態で、ロック操作部１０５が上にあがれば、ラッチ１０３は、ロック穴９０６（８０３）に入り込む。これにより、ハンドル２０１は、元の形状に戻ることが可能となる。この状態を図２５に示す。図２５は、このときの情報処理システム２の第１断面図である。なお、図２５でも、付勢部１０４の図示を省略している。図２５に示すように、ラッチ１０３は、ばね１０４ｂの付勢力により、筐体９０に設けられたロック穴９０６（８０３）の内壁を、抜出方向ｄ２に押し付けている状態となる。その結果、交換ユニット２０は、筐体９０にしっかりと固定される。これにより、交換ユニット２０の挿入作業が完了する。
【０１０３】
また、図２６は、このときの情報処理システム２の第２断面図である。図２６に示すように、ストッパ２０６も、ラッチ１０３と同様にロック穴９０６（８０３）に入り込んでいる状態である。したがって、この状態において、ストッパ２０６は、ラッチ１０３と同様に、ばね１０４ｂの付勢力により、筐体９０に設けられたロック穴９０６（８０３）の内壁を、抜出方向ｄ２に押し付けている状態となる。
【０１０４】
このように、図２５および図２６に示した状態において、ラッチ１０３およびストッパ２０６は、ロック穴９０６（８０３）に入り込んでいる。このため、この状態において、ハンドル２０１が抜出方向ｄ２に引っ張られたとしても、交換ユニット２０は、筐体９０に固定され、抜き出されることはない。
【０１０５】
図２７は、この状態の情報処理システム２の斜視図である。図２７に示すように、ハンドル２０１が元の形状に戻った状態であるため、利用者は、挿入作業が完了し、交換ユニット２０が筐体９０に固定されていることを容易に視認できる。
【０１０６】
以上で、交換ユニット２０の筐体９０への挿入時の動作の説明を終了する。
【０１０７】
次に、交換ユニット２０の筐体９０からの抜出時の情報処理システム２の動作について説明する。
【０１０８】
まず、交換ユニット２０の挿入が完了している図２７の状態において、図２８に示すように、ロック操作部１０５が、ロック解除方向ｄ３に押し下げられるよう操作される。これにより、スライド部２０２は、ロック解除方向ｄ３に移動する。これに伴い、ラッチ１０３もロック解除方向ｄ３に移動し、ロック穴９０６（８０３）から外れる。この状態は、図２４に示した状態と同様である。
【０１０９】
ラッチ１０３がロック穴９０６（８０３）から外れることにより、スライド部２０２は、付勢部１０４の付勢力により、ロック位置より抜出方向ｄ２側に移動する。この状態は、図２１に示した状態と同様である。
【０１１０】
図２１の状態では、スライド部２０２がロック位置より抜出方向ｄ２側に移動していることにより、スライド部２０２上に形成されたラッチ１０３が、筐体９０の内壁に接することになる。そのため、ハンドル２０１が、筐体９０から離れるように変形し、撓んだ状態となる。そしてハンドル２０１が撓んだ状態になることにより、ハンドル２０１上に設けられているストッパ２０６は、下方向に移動し、ロック穴９０６（８０３）から外れる。
【０１１１】
この状態において、ハンドル２０１が、抜出方向ｄ２に引っ張られる。すると、ラッチ１０３およびストッパ２０６のいずれもロック穴９０６（８０３）に入り込んでいないため、交換ユニット２０は、筐体９０から排出されるまで、抜出方向ｄ１に移動可能となる。
【０１１２】
つまり、交換ユニット２０の筐体９０からの抜出時には、ロック操作部１０５を押し下げながらハンドル２０１を抜出方向ｄ２に引っ張ることで、ラッチ１０３およびストッパ２０６によるロックが外れ、交換ユニット２０は容易に抜き出すことができる。
【０１１３】
以上で、交換ユニット２０の筐体９０からの抜出時の動作の説明を終了する。
【０１１４】
次に、本発明の第２の実施の形態の効果について述べる。本発明の第２の実施の形態としての情報処理システムは、筐体側に必要となる空間的領域を増加させることなく、さらに精度よく交換ユニットを情報処理システムに接続することができる。
【０１１５】
その理由について説明する。本実施の形態は、本発明の第１の実施の形態と同様の構成に加えて、次の構成を有する。すなわち、挿抜装置が、さらに第２の突起部を有する。第２の突起部は、挿抜操作部上に形成され、取付状態において筐体側に設けられた第２のロック穴に入り込む。また、筐体は、そのような第２のロック穴を有するからである。
【０１１６】
このように、本実施の形態では、第２の突起部（ストッパ）は、取付状態の交換ユニットの筐体からの抜け出しを防止する。また、第１の突起部（ラッチ）は、交換ユニットおよび筐体のガタを防止する。そして、本実施の形態は、このような第２の突起部（ストッパ）が設けられた挿抜操作部（ハンドル）と、第１の突起部（ラッチ）が設けられたスライド部とを別部品として構成している。これにより、本実施の形態は、挿抜操作部（ハンドル）の移動量が付勢部の付勢力に吸収されてしまうことがなく、確実に交換ユニットを挿入することができる。
【０１１７】
また、本実施の形態は、交換ユニットの取付状態では、第１の突起部（ラッチ）だけでなく、第２の突起部（ストッパ）もが、付勢部により第１および第２のロック穴に押し付ける。このため、本実施の形態は、さらにしっかりと交換ユニットを筐体に固定することができ、意図しない交換ユニットの抜け出しをさらに確実に防止する。その結果、本実施の形態は、コネクタの接触不良をさらに低減することができる。
【０１１８】
また、本実施の形態は、前述のように、第２の突起部（ストッパ）が設けられた挿抜操作部（ハンドル）と、第１の突起部（ラッチ）が設けられたスライド部とを別部品として構成している。これにより、本実施の形態では、挿抜操作部（ハンドル）の振動により第１の突起部（ラッチ）が振動して第１のロック穴から外れることがない。そのため、本実施の形態は、地震等の振動により交換ユニットを筐体に固定するロックが解除されてしまうことを防止することができる。
【０１１９】
しかも、本実施の形態は、このような効果を有するため、筐体側には、第１のロック穴および第２のロック穴を形成すればよい。したがって、本実施の形態は、筐体側で必要となる空間的領域を増加させない。
【０１２０】
（第３の実施の形態）
次に、本発明の第３の実施の形態として、本発明の最小構成となる挿抜装置について説明する。なお、本実施の形態の説明において参照する各図面において、本発明の第１の実施の形態と同一の構成には同一の符号を付して本実施の形態における詳細な説明を省略する。
【０１２１】
まず、本発明の第３の実施の形態としての挿抜装置１００の構成を図２９に示す。
【０１２２】
図２９において、挿抜装置１００は、挿抜操作部１０１、スライド部１０２、第１の突起部１０３、付勢部１０４、および、ロック操作部１０５を含んで構成される。
【０１２３】
各部は、本発明の第１の実施の形態において説明したように構成される。
【０１２４】
そして、挿抜装置１００は、交換ユニットに取り付けられ、第１のロック穴８０３を有する筐体に挿抜される際に、本発明の第１の実施の形態で説明したように動作する。
【０１２５】
これにより、本発明の第３の実施の形態としての挿抜装置は、筐体側に必要となる空間的領域を増加させることなく、より精度よく交換ユニットを情報処理システムに接続することができる。その理由は、本発明の第１の実施の形態で述べたとおりである。
【０１２６】
（第４の実施の形態）
次に、本発明の第４実施の形態としての交換ユニットについて説明する。なお、本実施の形態の説明において参照する各図面において、本発明の第１の実施の形態と同一の構成には同一の符号を付して本実施の形態における詳細な説明を省略する。
【０１２７】
まず、本発明の第４の実施の形態としての交換ユニット１０の構成を図３０に示す。なお、図３０では、説明のため、交換ユニット１０のフレーム１０ａが透過されているものとして、フレーム１０ａの内側の各部を示している。
【０１２８】
図３０において、交換ユニット１０は、挿抜装置１００を有する。また、挿抜装置１００が交換ユニット１０のフレーム１０ａの内側に取り付けられる場合、フレーム１０ａには、孔１０ｂが形成される。
【０１２９】
交換ユニット１０の各部は、本発明の第１の実施の形態において説明したように構成される。
【０１３０】
そして、交換ユニット１０は、第１のロック穴８０３を有する筐体に挿抜される際に、本発明の第１の実施の形態で説明したように動作する。
【０１３１】
これにより、本発明の第４の実施の形態としての交換ユニットは、筐体側に必要となる空間的領域を増加させることなく、より精度よく自装置を情報処理システムに接続することができる。その理由は、本発明の第１の実施の形態で述べたとおりである。
【０１３２】
なお、本発明の各実施の形態では、挿抜装置が、交換ユニットのフレーム上面の内側に取り付けられている例を中心に説明した。ただし、挿抜装置が交換ユニットに取り付けられる位置は、これに限定されない。挿抜装置は、交換ユニットが取付状態にあるときに、第１の突起部（および第２の突起部）が筐体の内側に接する位置であれば、交換ユニットの他の位置に取り付けられてもよい。例えば、挿抜装置は、交換ユニットのフレームの側面や底面の内側に取り付けられてもよい。また、例えば、挿抜装置は、交換ユニットと筐体との間にスペースがあれば、交換ユニットのフレームの外側に取り付けられてもよい。いずれにしても、筐体には、交換ユニットが取付状態にありスライド部がロック位置にあるときに、第１の突起部（および第２の突起部）が接する位置に第１のロック穴（および第２のロック穴）が形成されていればよい。
【０１３３】
また、本発明の各実施の形態では、挿抜操作部が、その所定範囲でスライド部をスライド可能に支持するため、２か所で段差を有するよう形成される例について説明した。ただし、挿抜操作部の形状は、これに限定されない。例えば、挿抜操作部は、スライド部をスライドさせる所定範囲の両端あるいは一端に、スライド部の移動を阻止する突起を形成してもよい。あるいは、挿抜操作部は、スライド部をスライドさせる所定範囲の部分の幅を他の部分より短くすることにより、スライド部の他の部分への移動を阻止するよう形成されていてもよい。
【０１３４】
また、本発明の各実施の形態では、スライド部が、挿抜操作部上をスライドするため、スライド方向に対して直交する方向の両端が折り曲げられた面を有するよう形成される例について説明した。ただし、スライド部の形状はこれに限定されない。例えば、挿抜操作部に、スライド部をスライド方向に案内する溝が形成されることを想定する。この場合、スライド部は、挿抜操作部上の溝に入り込む位置に複数の突起または線状の突起を有していてもよい。
【０１３５】
また、本発明の各実施の形態では、スライド部が、付勢部の付勢力を受ける面を、抜出方向側の端部に有する例について説明した。ただし、スライド部が付勢部の付勢力を受ける部分の形状や位置は、これに限定されない。
【０１３６】
また、本発明の各実施の形態では、ロック操作部が、スライド部に固定される面および操作面とから構成される例について説明した。ただし、ロック操作部の形状は、これに限定されない。ロック操作部は、スライド部を付勢力に反する方向および第１の突起部を第１のロック穴から外す方向に移動させることができれば、その他の形状によりスライド部に固定され、その他の形状の操作部分を有していてもよい。
【０１３７】
また、本発明の各実施の形態では、筐体が、縦型の交換ユニットを横に配列して収納可能な例を図示したが、交換ユニットの形状および筐体での配列は、これに限定されない。
【０１３８】
また、本発明の各実施の形態では、第１の突起部が略直角三角形状である例について説明した。また、本発明の第２の実施の形態では、第２の突起部が略長方形状である例について説明した。ただし、これらの突起部の形状は、これらの例に限定されない。例えば、本発明の第１の実施の形態のように、第１の突起部を有し第２の突起部を有していない例では、第１の突起部が、略長方形状に形成されてもよい。
【０１３９】
また、本発明の各実施の形態では、付勢部が、弾性部材としてばねを含んで構成される例を図示した。ただし、付勢部を構成する弾性部材は、ばねに限らない。
【０１４０】
また、上述した各実施の形態は、適宜組み合わせて実施されることが可能である。
【０１４１】
また、本発明は、上述した各実施の形態に限定されず、様々な態様で実施されることが可能である。
【符号の説明】
【０１４２】
１、２    情報処理システム
１０、２０    交換ユニット
８０、９０    筐体
１００、２００    挿抜装置
１０１、２０１    挿抜操作部（ハンドル）
１０２、２０２      スライド部
１０３    第１の突起部（ラッチ）
１０４    付勢部
１０５    ロック操作部
２０６    第２の突起部（ストッパ）
５１  リベット
５２  ねじ
８０３    第１のロック穴
９０６    第２のロック穴
【図１】
2018164038.tif 000003
【図２】
2018164038.tif 000004
【図３】
2018164038.tif 000005
【図４】
2018164038.tif 000006
【図５】
2018164038.tif 000007
【図６】
2018164038.tif 000008
【図７】
2018164038.tif 000009
【図８】
2018164038.tif 000010
【図９】
2018164038.tif 000011
【図１０】
2018164038.tif 000012
【図１１】
2018164038.tif 000013
【図１２】
2018164038.tif 000014
【図１３】
2018164038.tif 000015
【図１４】
2018164038.tif 000016
【図１５】
2018164038.tif 000017
【図１６】
2018164038.tif 000018
【図１７】
2018164038.tif 000019
【図１８】
2018164038.tif 000020
【図１９】
2018164038.tif 000021
【図２０】
2018164038.tif 000022
【図２１】
2018164038.tif 000023
【図２２】
2018164038.tif 000024
【図２３】
2018164038.tif 000025
【図２４】
2018164038.tif 000026
【図２５】
2018164038.tif 000027
【図２６】
2018164038.tif 000028
【図２７】
2018164038.tif 000029
【図２８】
2018164038.tif 000030
【図２９】
2018164038.tif 000031
【図３０】
2018164038.tif 000032
【図３１】
2018164038.tif 000033